(57)【要約】      （修正有）【課題】利用者の好みに応じて高さを自動調整可能な枕、クッションを提供する。【解決手段】カバー、カバー内に設けられるエアバッグコア、制御装置及び空気充填装置５を含み、エアバッグコアは、各々のエアチャンバが互いに独立しているエアバッグを少なくとも一つ含み、各エアバッグにはそれぞれ検出に用いられる気圧センサが設けられており、エアバッグはエアパイプ７により空気充填装置５に接続され、かつエアパイプ７には電気制御弁８が直列に接続されており、電気制御弁８、気圧センサ及び空気充填装置５が、それぞれ制御装置に電気的に接続されている。本考案は、気圧センサを用いて各エアバッグのエアチャンバ内の気圧を検出してから制御装置にフィードバックし、制御装置は、空気充填装置５の動作を制御してエアバッグに空気を充填し、あるいは電気制御弁８を制御して空気を排出することによってエアバッグの空気量を変えることができ、これにより枕やクッションの高さの自動調節を実現する。【選択図】図２
0003216326.tif 000002
【実用新案登録請求の範囲】
【請求項１】
カバー（１）、及びカバー（１）内に設けられるエアバッグコア（２）を含み、前記エアバッグコア（２）が、各々のエアチャンバが互いに独立しているエアバッグ（３）を少なくとも一つを含む、高さを自動調整可能な枕、クッションであって、
制御装置（４）と空気充填装置（５）とをさらに含み、各エアバッグ（３）にはエアチャンバ内の気圧を検出する気圧センサ（６）がそれぞれ設けられ、エアバッグ（３）はエアパイプ（７）により空気充填装置（５）に接続され、エアパイプ（７）には電気制御弁（８）が直列に接続されており、電気制御弁（８）、気圧センサ（６）及び空気充填装置（５）が、それぞれ制御装置（４）に電気的に接続されることを特徴とする、高さを自動調整可能な枕、クッション。
【請求項２】
前記エアパイプ（７）には、さらにエアボックス（９）が直列に接続されており、気圧センサ（６）がエアボックス（９）内に位置していることを特徴とする、請求項１に記載の高さを自動調整可能な枕、クッション。
【請求項３】
前記エアバッグコア（２）は複数のエアバッグ（３）を含み、かつ全てのエアバッグ（３）は並んで設置されていることを特徴とする、請求項１に記載の高さを自動調整可能な枕、クッション。
【請求項４】
前記エアバッグ（３）は、同じ方向に並んでいる複数のエアバッグユニット（３１）から構成され、隣接するエアバッグユニット（３１）の間には隙間があり、同じエアバッグ（３）に含まれる全てのエアバッグユニット（３１）のエアチャンバが互いに連通されていることを特徴とする、請求項３に記載の高さを自動調整可能な枕、クッション。
【請求項５】
同じエアバッグ（３）に含まれる全てのエアバッグユニット（３１）が直列に並んでいることを特徴とする、請求項４に記載の高さを自動調整可能な枕、クッション。
【請求項６】
前記エアパイプ（７）には、さらにジョイントアセンブリ（１０）が直列に接続されていることを特徴とする、請求項１に記載の高さを自動調整可能な枕、クッション。
【請求項７】
前記制御装置（４）は、マイクロプロセッサ（４１）、メモリ（４２）及び受信モジュール（４３）を含み、前記空気充填装置（５）、電気制御弁（８）、気圧センサ（６）、メモリ（４２）、及び受信モジュール（４３）は、それぞれマイクロプロセッサ（４１）に接続されていることを特徴とする、請求項１〜６のいずれか一項に記載の高さを自動調整可能な枕、クッション。
【請求項８】
前記空気充填装置（５）はエアポンプであることを特徴とする、請求項７に記載の高さを自動調整可能な枕、クッション。
【請求項９】
前記カバー（１）の内部にメモリフォームが充填されていることを特徴とする、請求項７に記載の高さを自動調整可能な枕、クッション。
【考案の詳細な説明】
【技術分野】
【０００１】
本考案は、寝具に属し、具体的には高さを自動調整可能な枕、クッションに関する。
【背景技術】
【０００２】
現在流行している枕である空気充填式枕は、使用し易くかつ心地良い。空気充填式枕は、給気量により枕の硬さを調節することができ、さらに空気排出後には体積が小さくなり、収納及び携帯が容易であるため、多くの人々に使用されつつある。従来の空気充填式枕は通常、内部に一つ以上の空気充填エアバッグを有しており、使用の際に、空気充填エアバッグ上のノズルを開け、空気充填エアバッグの内部の空気充填チャンバに空気を充填し、空気が充填されると、空気充填エアバッグが膨らんで一定の高さを有するものであるが、使用の際に、人体の頭部と頸部に重量が比較的集中しているので、空気充填式枕の一部が力を受けて凹む一方で、空気充填式枕の他の部分が一定の高さにさらに膨らんでしまい、個々の利用者に対して一致した心地良さを実現できない。また、従来の空気充填式枕は、空気の充填と排出を自動的に行うことができず、さらに空気充填式枕の高さの変化範囲が小さく、個々の利用者により好みの枕の高さに対する要求が異なるため、個々の利用者の要求を満足し難い。
【考案の概要】
【考案が解決しようとする課題】
【０００３】
本考案は、上述の課題に対して、利用者の好みに応じて高さを自動調整可能な枕、クッションを提供することを目的とする。
【課題を解決するための手段】
【０００４】
上述の目的を達成するために、本考案は以下の技術態様を採用している。カバー、カバー内に設けられるエアバッグコア、制御装置及び空気充填装置を含み、エアバッグコアは、各々のエアチャンバが互いに独立しているエアバッグを少なくとも一つを含み、各エアバッグにはそれぞれ検出に用いられる気圧センサが設けられており、エアバッグはエアパイプにより空気充填装置に接続され、かつエアパイプには電気制御弁が直列に接続されており、電気制御弁、気圧センサ及び空気充填装置が、それぞれ制御装置に電気的に接続されている、高さを自動調整可能な枕、クッション。
【０００５】
上述の態様において、気圧センサを用いて各エアバッグのエアチャンバ内の気圧を検出して制御装置にフィードバックし、制御装置は、空気充填装置の動作を制御してエアバッグに空気を充填し、あるいは電気制御弁を制御して空気を排出することにより、枕やクッションの高さの自動調整を実現する。
【０００６】
また、エアパイプには、さらにエアボックスが直列に接続されており、気圧センサがエアボックス内に位置している。気圧センサをエアバッグのエアチャンバ内に取り付ける必要がなく、製造プロセスを簡略化した。
【０００７】
また、エアバッグコアは複数のエアバッグを含み、かつ全てのエアバッグは並んで設置されている。エアバッグは異なる位置にあり、異なる位置のエアバッグの空気量を調整して、催眠の効果を達成する。
【０００８】
また、エアバッグは、同一方向に並んでいる複数のエアバッグユニットから構成され、隣接するエアバッグユニット間には隙間があり、同じエアバッグに含まれる全てのエアバッグユニットのエアチャンバが互いに連通されており、同じエアバッグに含まれる全てのエアバッグユニットは直列に並んでいることが好ましい。空気の充填と排出を組み合わせて行うことで、催眠の効果を向上させることができる。
【０００９】
使用の便宜上、また取り外しを容易にするために、エアパイプには、さらにジョイントアセンブリが直列に接続されている。
【００１０】
制御装置は、マイクロプロセッサ、メモリ及び受信モジュールを含み、空気充填装置、電気制御弁、気圧センサ、メモリ及び受信モジュールは、それぞれマイクロプロセッサに接続されている。制御装置はそれ自体に受信モジュールを備えているので、遠隔操作が可能である。
【００１１】
空気充填装置はエアポンプである。
【００１２】
カバーの内部にはメモリフォームが充填されており、枕やクッションの形状を徐々に回復させることができる。
【００１３】
本考案は、気圧センサを用いて各エアバッグのエアチャンバ内の気圧を検出して制御装置にフィードバックし、制御装置は、空気充填装置の動作を制御してエアバッグに空気を充填し、あるいは電気制御弁を制御して空気を排出することによってエアバッグの空気量を変えることができ、これにより枕やクッションの高さの自動調整を実現する。異なるエアバッグの空気の充填と排出を変えることにより、枕やクッションの異なる位置に高さの変化を生じさせることができ、リズミカルに順に循環するようにすることで、緊張（空気充填による圧迫）からリラックス（空気排出）への循環リズムにより利用者の睡眠を誘導して、催眠の効果を達成する。また、エアバッグの空気量を変化させることにより、マッサージ、枕やクッションの硬さを変えるなどの機能をさらに実現できる。
【図面の簡単な説明】
【００１４】
【図１】本考案の実施例に係る高さを自動調整可能な枕、クッションの分解概略図である。
【図２】本考案の実施例に係る高さを自動調整可能な枕、クッションのエア経路接続図である。
【図３】本考案の実施例に係る高さを自動調整可能な枕、クッションのエア経路模式図である。
【図４】本考案の実施例に係る高さを自動調整可能な枕、クッションのエアボックスの分解図である。
【図５】本考案の実施例に係る高さを自動調整可能な枕、クッションの回路模式図である。
【図６】本考案の実施例に係る催眠シミュレーションのフローチャートである。
【考案を実施するための形態】
【００１５】
以下、図面を参照しながら本考案についてさらに詳しく説明するが、本考案の実施形態はこれに限定されるものではない。本考案の説明において、「上」、「下」、「左」、「右」、「垂直」、「平行」などの用語で示す方向又は位置関係は、図面に示される方向又は位置関係に基づくものであると理解すべきであり、単に本考案の説明の便宜上かつ説明の簡略化のためのものであって、示される装置又は素子が必ず特定の方向を有し、特定の方向に構成及び操作されることを教示又は示唆するものではない。よって、図面において位置関係を記述する用語は、単に例示的に説明するためのものであり、本考案を制限するものと解釈してはならない。
【実施例】
【００１６】
図１〜図５に示されるように、本実施例の高さを自動調整可能な枕、クッションは、以下のように構成される。高さを自動調整可能な枕、クッションは、カバー１、エアバッグコア２、制御装置４及び空気充填装置５を含み、エアバッグコア２はカバー１内に設けられ、カバー１の内部にはメモリフォームが充填されており、枕やクッションが圧力を受けて変形した後に徐々に回復されるようにして、利用者が枕やクッションからしばらく離れてから再びこれを使用するときも依然として適切な状態を確保できる。エアバッグコア２は、少なくとも一つのエアバッグ３を含み、本実施例において、エアバッグ３は三つあり、三つのエアバッグ３は並んで設置され、隣接するエアバッグ３の間には隙間があり、各エアバッグ３のエアチャンバが互いに独立しており、かつ各エアバッグ３にはそれぞれそのエアチャンバ内の気圧の検出に用いられる気圧センサ６が設けられており、各エアバッグ３はそれぞれエアパイプ７により空気充填装置５に接続され、かつ各エアパイプ７には電気制御弁８が直列に接続されており、電気制御弁８はエアバッグ３と空気充填装置５との間に位置し、電気制御弁８、気圧センサ６及び空気充填装置５はそれぞれ制御装置４に電気的に接続され、制御装置４は、電気制御弁８、空気充填装置５の動作を制御し、使用の際に、気圧センサ６は、各エアバッグ３のエアチャンバ内の気圧を検出してから制御装置４にフィードバックし、制御装置４は、空気充填装置５の動作を制御してエアバッグ３に空気を充填し、あるいは電気制御弁８を制御して空気を排出することによってエアバッグ２の空気量を変えることができ、これにより枕やクッションの高さの自動調節が実現された。空気を充填する際に、空気充填装置５が動作し、電気制御弁８の空気充填通路側が連通され、空気排出通路側が閉鎖される。空気を排出する際に、空気充填装置５の動作が停止し、電気制御弁８の空気充填通路側が閉鎖され、空気排出通路側が連通されて、エアバッグ３の空気が外部へ排出される。
【００１７】
エアパイプ７には、さらにエアボックス９が直列に接続されており、気圧センサ６はエアボックス９内に位置し、エアボックス９とエアバッグ３がエアパイプ７により連通されているので、エアボックス９とエアバッグ３の気圧が一致しており、気圧センサ６は、エアボックス９内の気圧を直接検出することで、エアバッグ３の気圧を得る。
【００１８】
本実施例において、エアバッグ３は、同じ方向に並んでいる複数のエアバッグユニット３１から構成され、同じエアバッグ３に含まれる全てのエアバッグユニット３１は直列に並んでいることが好ましく、同じエアバッグ３に含まれる全てのエアバッグユニット３１のエアチャンバが互いに連通され、隣接するエアバッグユニット３１の間にも隙間があり、エアバッグユニット３１の間で空気の対流を形成できるように確保し、部分的な温度上昇を有効に回避して、頭部に大量の汗をかいて体の健康及び睡眠の質などに影響を与えることを防止する。
【００１９】
制御装置４は、マイクロプロセッサ４１、メモリ４２及び受信モジュール４３を含み、受信モジュール４３はアンテナを備えており、空気充填装置５、電気制御弁８、気圧センサ６、メモリ４２、受信モジュール４３は、それぞれマイクロプロセッサ４１に接続され、マイクロプロセッサ４１、空気充填装置５は電源に接続され、電源から給電され、本実施例の空気充填装置５はエアポンプである。制御装置４にはそれ自体に受信モジュール４３を備えているので、リモコン１１で制御装置４を遠隔操作し、便利に使える。
【００２０】
取り外しの便宜上、エアパイプ７には、さらに二つのジョイントアセンブリ１０が直列に接続されており、制御装置４、空気充填装置５、電気制御弁８、エアボックス９は、いずれも制御ボックス１２内に取り付けることができ、一方のジョイントアセンブリ１０は、制御ボックス１２の端部のエアパイプ７に直列に接続され、他方のジョイントアセンブリ１０は、エアバッグコア２の端部のエアパイプ７に直列に接続され、二つのジョイントアセンブリ１０は、外部に配置されるエアパイプ７により接続されているので、エアバッグコア２と制御ボックス１２を容易に取り外すことができ、外部に配置されるエアパイプ７が壊れても交換が容易である。
【００２１】
本考案は、枕として用いられ、利用者を睡眠へ誘導して、催眠の作用を実現し、具体的な操作フローは図６に示される通りである。使用の際、並んで設けられた三つのエアバッグ３は、利用者の頸部、後頭部、頭頂部の三つの位置にそれぞれ対応し、ステップ１からステップ３までは、それぞれのエアバッグ３の空気の充填と排出を変化させて、リズミカルに順に循環するようにすることで、利用者の頸部と頭部が緊張（空気充填による圧迫に対応する位置）からリラックス（空気排出）へ循環し、リズミカルに操作されることで、頸部と頭部の圧力を緩めて催眠することができる。
【００２２】
以上に記載された本考案の実施形態は、本考案の保護範囲を限定するものではない。本考案の要旨の範囲内で行われる修正、等価の置き換え及び改良などは、いずれも本考案の実用新案登録請求の範囲に含まれるべきである。
【図１】
0003216326.tif 000003
【図２】
0003216326.tif 000004
【図３】
0003216326.tif 000005
【図４】
0003216326.tif 000006
【図５】
0003216326.tif 000007
【図６】
0003216326.tif 000008